(57)【要約】【課題】本発明は、機能を選択するための操作部を最小限に抑えることができる方向検出機能付きＩＣタグ及び管理システムを提供することを目的とする。【解決手段】本発明に係る方向検出機能付きＩＣタグは、筐体２と、重力の向きに対する筐体２の向きに応じて、無線通信で筐体２の外部に送信される情報を変化させるロジック回路１９と、を備える。管理システムは、方向検出機能付きＩＣタグから無線通信で情報を読み取る読取装置３と、読取装置３により読み取られた情報に基づいて動作する管理装置９と、を備える。【選択図】図１
2018060371.tif 000002
【特許請求の範囲】
【請求項１】
筐体と、
重力の向きに対する前記筐体の向きに応じて、無線通信で前記筐体の外部に送信される情報を変化させるロジック回路と、
を備えた方向検出機能付きＩＣタグ。
【請求項２】
前記筐体の内部に形成された空洞内で重力に従って移動するスイッチ体と、
前記空洞の隅角部に対応して設けられ、前記スイッチ体と接触することで通電状態が切り替わる複数の接点と、
を備え、
前記ロジック回路は、前記複数の接点の通電状態に応じて、無線通信で前記筐体の外部に送信される情報を変化させる請求項１に記載の方向検出機能付きＩＣタグ。
【請求項３】
前記筐体は、カード型に形成され、
前記空洞は、厚さ方向から見た前記筐体の各辺に対応する位置に隅角部を有する形状に形成された請求項２に記載の方向検出機能付きＩＣタグ。
【請求項４】
前記筐体の表面には、前記複数の接点のそれぞれに対応する方向標示が付された請求項２又は３に記載の方向検出機能付きＩＣタグ。
【請求項５】
前記筐体は、前記空洞の内部を視認可能に形成された請求項２から４のいずれか１項に記載の方向検出機能付きＩＣタグ。
【請求項６】
前記スイッチ体は、前記空洞内に封入された導電性を有する液体の中を移動する気泡であり、
前記ロジック回路は、無線通信で前記筐体の外部に送信される情報として、前記複数の接点のうち通電していない接点に対応して設定された情報を選択する請求項２から５のいずれか１項に記載の方向検出機能付きＩＣタグ。
【請求項７】
前記スイッチ体は、前記空洞内に封入された導電性を有する固体又は液体であり、
前記ロジック回路は、無線通信で前記筐体の外部に送信される情報として、前記複数の接点のうち通電している接点に対応して設定された情報を選択する請求項２から５のいずれか１項に記載の方向検出機能付きＩＣタグ。
【請求項８】
前記筐体には、利用者による操作を受け付ける操作部が設けられ、
前記ロジック回路は、前記操作部に対する操作が行われている間には前記筐体の外部に送信される情報を変化させ、前記操作部に対する操作が行われていない間には前記筐体の外部に送信される情報を変化させない請求項１から７のいずれか１項に記載の方向検出機能付きＩＣタグ。
【請求項９】
請求項１から８のいずれか１項に記載の方向検出機能付きＩＣタグから無線通信で情報を読み取る読取装置と、
前記読取装置により読み取られた情報に基づいて動作する管理装置と、
を備え、
前記読取装置には、利用者による操作を受け付ける操作部が設けられていない管理システム。
【請求項１０】
前記管理装置は、前記読取装置により連続して読み取られた複数の情報の組み合わせ又は順序に応じて異なる動作を行う請求項９に記載の管理システム。
【発明の詳細な説明】
【技術分野】
【０００１】
本発明は、ＩＣタグ及び管理システムに関する。
【背景技術】
【０００２】
下記特許文献１には、複数の機能を有する入退室管理システムで用いられるＩＣカードが記載されている。このＩＣカードには、利用者が機能を選択するための操作部が設けられている。このＩＣカードは、操作される操作部に応じて、読取装置に送信するデータを変化させる。
【先行技術文献】
【特許文献】
【０００３】
【特許文献１】特開２０１０−３９５２７号公報
【発明の概要】
【発明が解決しようとする課題】
【０００４】
特許文献１に記載のＩＣカードを用いる場合、読取装置には機能を選択するための操作部が不要となり得る。しかしながら、ＩＣカードには、選択可能な機能に応じた数の操作部が必要となる。
【０００５】
本発明は、上記の課題を解決するためになされた。その目的は、機能を選択するための操作部を最小限に抑えることができる方向検出機能付きＩＣタグ及び管理システムを提供することである。
【課題を解決するための手段】
【０００６】
本発明に係る方向検出機能付きＩＣタグは、筐体と、重力の向きに対する筐体の向きに応じて、無線通信で筐体の外部に送信される情報を変化させるロジック回路と、を備えたものである。
【０００７】
本発明に係る管理システムは、上記の方向検出機能付きＩＣタグから無線通信で情報を読み取る読取装置と、読取装置により読み取られた情報に基づいて動作する管理装置と、を備え、読取装置には、利用者による操作を受け付ける操作部が設けられていないものである。
【発明の効果】
【０００８】
本発明において、ロジック回路は、重力の向きに対する筐体の向きに応じて、無線通信で筐体の外部に送信される情報を変化させる。このため、本発明によれば、機能を選択するための操作部を最小限に抑えることができる。
【図面の簡単な説明】
【０００９】
【図１】実施の形態１における方向検出機能付きＩＣタグの使用方法を示す斜視図である。
【図２】実施の形態１における方向検出機能付きＩＣタグの構造の一例を示す平面図である。
【図３】実施の形態１における管理システムの一例を示す構成図である。
【発明を実施するための形態】
【００１０】
添付の図面を参照して、方向検出機能付きＩＣタグ及び管理システムを詳細に説明する。各図では、同一又は相当する部分に同一の符号を付している。重複する説明は、適宜簡略化あるいは省略する。
【００１１】
実施の形態１．
図１は、実施の形態１における方向検出機能付きＩＣタグの使用方法を示す斜視図である。
【００１２】
図１に示すように、ＩＣタグ１の筐体２は、例えば、カード型に形成されている。筐体２は、携帯可能な大きさに形成されている。読取装置３は、例えば、建物内の壁面等に設置されている。読取装置３は、例えば、利用者による操作を受け付ける操作部を有していなくてもよい。読取装置３は、例えば、壁等の中に埋め込まれていてもよい。
【００１３】
読取装置３は、ＩＣタグ１と無線通信を行う機能を有する。読取装置３は、一定の距離内にあるＩＣタグ１から情報を読み取る。ＩＣタグ１を携帯する利用者は、例えば、読取装置３にＩＣタグ１をかざすことで、ＩＣタグ１に記憶されている情報を読取装置３に読み取らせる。
【００１４】
図１に示すように、筐体２の表面には、例えば、複数の方向標示４が付されている。ＩＣタグ１から読取装置３に送信される情報は、例えば、どの方向標示４を上に向けるかに応じて変化する。利用者は、例えば、特定の方向標示４が上又は下を向いた状態で持ったＩＣタグ１を読取装置３にかざすことで、ＩＣタグ１に記憶されている情報のうち読取装置３に読み取らせる情報を選択する。
【００１５】
図２は、実施の形態１における方向検出機能付きＩＣタグの構造の一例を示す平面図である。図２は、一例として、筐体２がカード型に形成されている場合を示している。
【００１６】
図２に示すように、筐体２の内部には、空洞５が形成されている。空洞５は、複数の隅角部を有する形状に形成されている。空洞５の隅角部は、例えば、厚さ方向から見たカード型の筐体２の各辺に対応する位置にある。空洞５の外縁は、例えば、カード型の筐体２の厚さ方向から見て多角形を呈する。空洞５は、例えば、カード型の筐体２の厚さ方向から見て環状の空間である。
【００１７】
筐体２のうち空洞５に対応する部分は、例えば、透明な材質で形成されてもよい。つまり、筐体２は、例えば、空洞５の内部を視認可能に形成されてもよい。
【００１８】
図２に示すように、ＩＣタグ１は、複数の接点６を備える。接点６は、例えば、互いに接触せずに隣接する２つの電極である。接点６は、空洞５内に露出した状態で設けられている。接点６は、例えば、空洞５の外縁のうち各隅角部に対応する位置から空洞５内に突出している。
【００１９】
図２に示すように、方向標示４は、例えば、厚さ方向から見たカード型の筐体２の各辺に対応して付されている。つまり、方向標示４は、筐体２の表面のうち、複数の接点６のそれぞれに対応する位置に付されている。図２は、一例として、「Ａ」、「Ｂ」、「Ｃ」及び「Ｄ」の４つの方向標示４が筐体２に付された場合を示している。
【００２０】
図２に示すように、空洞５内には、スイッチ体７が存在する。スイッチ体７は、空洞５内で重力に従って移動する。スイッチ体７の径は、例えば、接点６の電極同士の間隔よりも大きい。
【００２１】
スイッチ体７は、例えば、空洞５内に封入された導電性を有する液体の中を移動する気泡であってもよい。スイッチ体７は、例えば、空洞５の容積の大部分を占める水等の中を移動する空気等の気泡であってもよい。この場合、スイッチ体７は、鉛直方向に対する筐体２の向きに応じて、そのとき最も上側に位置する隅角部に移動する。当該隅角部に位置する接点６は、スイッチ体７と接触することで、通電しない状態となる。一方、他の複数の接点６は、導電性を有する液体中にあるため、通電する状態となる。つまり、スイッチ体７が気泡である場合、例えば、図２に示すＩＣタグ１を「Ａ」の方向標示４を上に向けた状態で持つと、「Ａ」に対応する位置の接点６だけが通電しない。
【００２２】
スイッチ体７は、例えば、空洞５内に封入された導電性を有する固体又は液体であってもよい。スイッチ体７は、例えば、空洞５内の空気中を移動する金属球、水銀又は水等であってもよい。この場合、スイッチ体７は、鉛直方向に対する筐体２の向きに応じて、そのとき最も下側に位置する隅角部に移動する。当該隅角部に位置する接点６は、スイッチ体７と接触することで、通電する状態となる。一方、他の複数の接点６は、例えば、空気中にあるため、通電しない状態となる。つまり、スイッチ体７が導電性を有する固体又は液体である場合、例えば、図２に示すＩＣタグ１を「Ａ」の方向標示４を上に向けた状態で持つと、「Ｃ」に対応する位置の接点６だけが通電する。
【００２３】
図２に示すように、筐体２には、例えば、１つの操作部８が設けられてもよい。操作部８は、利用者による操作を受け付ける。操作部８は、例えば、押しボタン又はタッチボタン等である。
【００２４】
図３は、実施の形態１における管理システムの一例を示す構成図である。図３は、一例として、入退室管理を行うための管理システムを示している。
【００２５】
図３に示すように、管理システムは、読取装置３及び管理装置９を備える。管理装置９は、読取装置３及び電気錠１０と電気的に接続されている。電気錠１０は、例えば、建物における管理対象エリアに出入りするためのドア１１に設けられている。
【００２６】
図３に示すように、管理装置９は、例えば、電気錠制御部１２、通行モード切替部１３、警備状態切替部１４及び報知制御部１５を有する。電気錠制御部１２は、電気錠１０を施解錠する。通行モード切替部１３は、例えば、ドア１１が閉まるたびに電気錠１０が自動で施錠されるか否かを切り替える。警備状態切替部１４は、例えば、管理対象エリアを警備中の状態とするか否かを切り替える。報知制御部１５は、例えば、建物内に非常警報を発報させる。
【００２７】
図３に示すように、読取装置３は、アンテナ部１６及び読取部１７を有する。ＩＣタグ１は、アンテナ部１８、ロジック回路１９及びメモリ２０を有する。ロジック回路１９は、方向検出部２１及びデータ選択部２２を有する。メモリ２０は、複数のデータブロック２３を有する。
【００２８】
読取装置３は、例えば、電磁誘導によってＩＣタグ１から情報を読み取る。読取装置３のアンテナ部１６に電流が流れると、磁界が発生する。磁界にＩＣタグ１のアンテナ部１８が近づくと、アンテナ部１８に発生した電流でロジック回路１９が動作する。読取部１７は、ロジック回路１９によってメモリ２０から読み出されたデータを読み取る。
【００２９】
メモリ２０の各データブロック２３は、それぞれ異なるデータを格納している。データブロック２３は、例えば、電気錠の解錠に関するデータを格納している。データブロック２３は、例えば、通行モードの切替に関するデータを格納している。データブロック２３は、例えば、警備状態の切替に関するデータを格納している。データブロック２３は、例えば、非常警報の発報に関するデータを格納している。
【００３０】
メモリ２０の各データブロック２３は、例えば、各方向標示４に対応するものとして設定されている。つまり、メモリ２０の各データブロック２３は、例えば、各接点６に対応するものとして設定されている。
【００３１】
方向検出部２１は、複数の接点６のうち、通電している接点６及び通電していない接点６の少なくとも一方に基づいて、筐体２の向きを検出する。方向検出部２１は、例えば、スイッチ体７が気泡である場合、通電していない接点６に対応する方向標示４が上を向いていることを検出する。方向検出部２１は、例えば、スイッチ体７が導電性を有する固体又は液体である場合、通電している接点６に対応する方向標示４が下を向いていることを検出する。つまり、方向検出部２１は、複数の接点６の通電状態に基づいて、重力の向きに対する筐体２の向きを検出する。
【００３２】
データ選択部２２は、例えば、スイッチ体７が気泡である場合、複数の接点６のうち通電していない接点６に対応して設定されたデータブロック２３を選択する。データ選択部２２は、例えば、スイッチ体７が導電性を有する固体又は液体である場合、複数の接点６のうち通電していない接点６に対応して設定されたデータブロック２３を選択する。つまり、データ選択部２２は、例えば、どの方向標示４が上又は下を向いているかに応じて、異なるデータブロック２３を選択する。データ選択部２２により選択されたデータブロック２３に格納されているデータは、読取装置３によって読み取られる。このように、ロジック回路１９は、無線通信で筐体２の外部に送信される情報を変化させる。
【００３３】
管理装置９は、読取装置３により読み取られた情報に基づいて動作する。管理装置９は、例えば、「Ａ」の方向標示４に対応するデータブロック２３のデータに基づいて、電気錠１０を解錠する。管理装置９は、例えば、「Ｂ」の方向標示４に対応するデータブロック２３のデータに基づいて、通行モードを切り替える。管理装置９は、例えば、「Ｃ」の方向標示４に対応するデータブロック２３のデータに基づいて、警備状態を切り替える。管理装置９は、例えば、「Ｄ」の方向標示４に対応するデータブロック２３のデータに基づいて、非常警報を発報させる。
【００３４】
実施の形態１において、ＩＣタグ１のロジック回路１９は、重力の向きに対する筐体２の向きに応じて、無線通信で筐体２の外部に送信される情報を変化させる。つまり、利用者は、読取装置３へのＩＣタグ１のかざし方を変えることで、読取装置３に読み取らせる情報を選択できる。読取装置３は、利用者による操作を受け付ける操作部を有していなくてもよい。このため、実施の形態１によれば、ＩＣタグ及び読取装置を用いた管理システムにおいて、機能を選択するための操作部を最小限に抑えることができる。その結果、例えば、ＩＣタグ及び読取装置の双方について、デザインの自由度を向上させることができる。
【００３５】
実施の形態１において、複数の接点６は、空洞５の隅角部に対応して設けられ、スイッチ体７と接触することで通電状態が切り替わる。ロジック回路１９は、複数の接点６の通電状態に応じて、無線通信で筐体２の外部に送信される情報を変化させる。このため、実施の形態１によれば、簡単な構成で、方向検出機能付きＩＣタグを実現できる。
【００３６】
実施の形態１において、筐体２は、例えば、カード型に形成される。空洞５は、例えば、厚さ方向から見た筐体２の各辺に対応する位置に隅角部を有する形状に形成される。この場合、利用者が携帯し易く且つ向きを合わせ易い方向検出機能付きＩＣタグを実現できる。
【００３７】
実施の形態１において、筐体２の表面には、例えば、複数の接点６のそれぞれに対応する方向標示４が付されている。また、筐体２は、空洞５の内部を視認可能に形成されている。このため、実施の形態１によれば、利用者が容易に向きを合わせることができる方向検出機能付きＩＣタグを実現できる。
【００３８】
実施の形態１において、スイッチ体７は、例えば、空洞５内に封入された導電性を有する液体の中を移動する気泡である。ロジック回路１９は、例えば、無線通信で筐体２の外部に送信される情報として、複数の接点６のうち通電していない接点６に対応して設定された情報を選択する。この場合、簡単な構成で、方向検出機能付きＩＣタグを実現できる。
【００３９】
実施の形態１において、スイッチ体７は、例えば、空洞５内に封入された導電性を有する固体又は液体である。ロジック回路１９は、例えば、無線通信で筐体２の外部に送信される情報として、複数の接点６のうち通電している接点６に対応して設定された情報を選択する。この場合、簡単な構成で、方向検出機能付きＩＣタグを実現できる。
【００４０】
実施の形態１において、データ選択部２２は、例えば、操作部８に対する操作が行われている間にのみ、複数の接点６の通電状態に応じてデータブロック２３を選択してもよい。データ選択部２２は、例えば、操作部８に対する操作が行われていない間には、複数の接点６の通電状態に関係なく既定のデータブロック２３だけを選択してもよい。既定のデータブロック２３としては、例えば、使用頻度の高いデータを格納したものが設定される。つまり、ロジック回路１９は、操作部８に対する操作が行われている間には筐体２の外部に送信される情報を変化させ、操作部８に対する操作が行われていない間には筐体２の外部に送信される情報を変化させなくともよい。この場合、利用者が誤って管理装置９に予定外の動作をさせることを防止できる。また、例えば、電気錠１０の解錠に関するデータ等を格納したデータブロック２３が既定のデータブロック２３として設定されていれば、利用者の利便性を向上させることができる。
【００４１】
実施の形態１において、管理装置９は、例えば、読取装置３により連続して読み取られた複数の情報の組み合わせ又は順序に応じて異なる動作を行ってもよい。この場合、メモリ２０の各データブロック２３に格納されているデータは、管理装置９の個々の動作に対応していなくともよい。管理装置９は、例えば、複数の方向標示４のうち「Ａ」及び「Ｂ」に対応するデータが順番に読み取られた場合に、通行モードを切り替えてもよい。また、管理装置９が動作を行うために必要となるデータの個数は、例えば、動作の重要度に比例して多くなるよう設定されてもよい。管理装置９は、例えば、複数の方向標示４のうち「Ａ」、「Ｄ」及び「Ｃ」に対応する３つのデータが順番に読み取られた場合に警備状態を切り替え、「Ａ」、「Ｂ」、「Ｃ」及び「Ｄ」に対応する４つのデータが順番に読み取られた場合に非常警報を発報させてもよい。この場合、利用者が誤って管理装置９に予定外の動作をさせることを防止できる。
【００４２】
実施の形態１において、空洞５の隅角部の数及び接点６の数は、２つ、３つ又は５つ以上であってもよい。筐体２は、空洞５の隅角部の数及び接点６の数に応じて、四角形以外の多角形又は円形に形成されてもよい。
【００４３】
実施の形態１において、ＩＣタグ１の筐体２は、カード型に形成されていなくともよい。筐体２は、例えば、スティック状又は球状等に形成されてもよい。また、ロジック回路１９は、ジャイロセンサで筐体２の向きを検出してもよい。
【００４４】
実施の形態１において、ＩＣタグ１は、データブロック２３を選択する以外の方法で、無線通信で筐体２の外部に送信される情報を変化させてもよい。ＩＣタグ１は、例えば、筐体２の向きに応じて、使用する周波数を変化させてもよい。
【符号の説明】
【００４５】
１  タグ
２  筐体
３  読取装置
４  方向標示
５  空洞
６  接点
７  スイッチ体
８  操作部
９  管理装置
１０  電気錠
１１  ドア
１２  電気錠制御部
１３  通行モード切替部
１４  警備状態切替部
１５  報知制御部
１６  アンテナ部
１７  読取部
１８  アンテナ部
１９  ロジック回路
２０  メモリ
２１  方向検出部
２２  データ選択部
２３  データブロック
【図１】
2018060371.tif 000003
【図２】
2018060371.tif 000004
【図３】
2018060371.tif 000005